(57)【要約】【課題】表示部を大きくして情報入力の操作性を良くして情報の入力を容易にした携帯電話機の表示入力方法を提供する。【解決手段】本発明の携帯電話機１は、四つ折りの屏風のように、折り畳んだり、拡げたりできる四つ折り式の携帯電話機であり、第１の筺体１１の表示面には液晶タッチパネル２１が設けられ、第２の筺体１２の表示面には液晶タッチパネル２２が設けられ、第３の筺体１３の表示面には液晶タッチパネル２３が設けられ、第４の筺体１４の表示面には液晶タッチパネル２４が設けられ、携帯電話機１の各筺体を完全に開いた状態で、操作者の指の大きさに適応した大きさの文字キーを液晶タッチパネル２１，２２，２３，２４に表示して文字情報入力の操作性を向上させる。【選択図】図４
2012248173.tif 000002
【特許請求の範囲】
【請求項１】
音声入力部と音声出力部とを有する携帯電話機の表示入力方法であって、
上記携帯電話機が、
表示部と、この表示部の表示面上に配置されて操作者による接触があるとその接触位置を出力するタッチパネルとを含む表示一体型タッチパネル装置が設けられている第１の筺体と、
この第１の筺体と対峙するよう開閉自在に連結され、表示部と、この表示部の表示面上に配置されて操作者による接触があるとその接触位置を出力するタッチパネルとを含む表示一体型タッチパネル装置が設けられている第２の筺体と、
この第２の筺体と対峙するよう開閉自在に連結され、表示部と、この表示部の表示面上に配置されて操作者による接触があるとその接触位置を出力するタッチパネルとを含む表示一体型タッチパネル装置が設けられている第３の筺体と、
この第３の筺体と対峙するよう開閉自在に連結され、表示部と、この表示部の表示面上に配置されて操作者による接触があるとその接触位置を出力するタッチパネルとを含む表示一体型タッチパネル装置が設けられている第４の筺体と、
を有し、
前記第１の筺体の表示一体型タッチパネル装置と、前記第２の筺体の表示一体型タッチパネル装置と、前記第３の筺体の表示一体型タッチパネル装置と、前記第４の筺体の表示一体型タッチパネル装置とを用いて文字情報が表示入力されることを特徴とする携帯電話機の表示入力方法。
【請求項２】
前記第１の筺体の表示一体型タッチパネル装置と、前記第２の筺体の表示一体型タッチパネル装置と、前記第３の筺体の表示一体型タッチパネル装置と、前記第４の筺体の表示一体型タッチパネル装置とにおける前記各表示一体型タッチパネル装置に、前記操作者の指の大きさに適応した大きさで表示される文字情報入力キーが互いに関連し、表示された文字情報入力キーに基づいてタッチパネルにより文字情報が入力されることを特徴とする請求項１に記載の携帯電話機の表示入力方法。
【請求項３】
前記第１の筺体の表示一体型タッチパネル装置と、前記第２の筺体の表示一体型タッチパネル装置と、前記第３の筺体の表示一体型タッチパネル装置と、前記第４の筺体の表示一体型タッチパネル装置とを用いて、
５０音順のひらがなの「あ」行から「ら」行までのそれぞれの行の５文字をそれぞれ一列にして文字キーを前記操作者の指の大きさに適応した大きさで表示され、さらに、「わ，を，ん」の文字キーを一列に前記操作者の指の大きさに適応した大きさで表示され、
前記５０音の全てのひらがな文字キーが表示された状態でひらがな文字が入力されることを特徴とする請求項１に記載の携帯電話機の表示入力方法。
【請求項４】
前記第１の筺体の表示一体型タッチパネル装置に画像と文字が表示され、前記第２の筺体の表示一体型タッチパネル装置に画像と文字が表示され、前記第３の筺体の表示一体型タッチパネル装置に画像と文字が表示され、前記第４の筺体の表示一体型タッチパネル装置に画像と文字が表示され、
前記何れかのタッチパネルに前記操作者による接触があった際、当該表示一体型タッチパネル装置に表示された画像と文字に対応する通話先に発信することを特徴とする請求項１に記載の携帯電話機の表示入力方法。
【請求項５】
前記第１の筺体の表示一体型タッチパネル装置と、前記第２の筺体の表示一体型タッチパネル装置と、前記第３の筺体の表示一体型タッチパネル装置と、前記第４の筺体の表示一体型タッチパネル装置とを用いてゲームの画像情報が表示され、当該ゲーム操作が前記タッチパネルから入力されることを特徴とする請求項１に記載の携帯電話機の表示入力方法。
【請求項６】
前記第１の筺体の表示一体型タッチパネル装置と、前記第２の筺体の表示一体型タッチパネル装置と、前記第３の筺体の表示一体型タッチパネル装置と、前記第４の筺体の表示一体型タッチパネル装置とを用いて、
地図検索の情報が入力された際、同一検索結果における異なった地図画像を表示することを特徴とする請求項１に記載の携帯電話機の表示入力方法。
【請求項７】
前記第１の筺体の表示一体型タッチパネル装置と、前記第２の筺体の表示一体型タッチパネル装置と、前記第３の筺体の表示一体型タッチパネル装置と、前記第４の筺体の表示一体型タッチパネル装置とを用いて、多面的に外国語学習情報を表示入力することを特徴とする請求項１に記載の携帯電話機の表示入力方法。
【発明の詳細な説明】
【技術分野】
【０００１】  この発明は、例えば携帯電話機において、文字、画像等の情報の入力を容易にした携帯電話機の表示入力方法に関する。
【背景技術】
【０００２】  従来、携帯電話機では１２個ほどのキーに、数字、かな文字、英字を設定し、入力モードを切り替えるモードキーを用いてモード変更し、数字入力モード、かな入力モード、英字入力モード等に切り替えて入力している。
このような携帯電話機では、キーが小さい上に何回もキーを押さなければならないので指の疲労が激しく、キーが小さいこともあって例えば高齢者が敬遠するものとなっている。【０００３】  携帯電話機では特にキー打鍵回数が多くなり入力操作性が悪いということでキー数を少なくして入力するキー入力方法が提案されている（例えば特許文献１）。
また、二つ折り式携帯電話機にして表示部とキー部（入力部）とを分けてキー部における個々のキーを大きくしたものもある（例えば特許文献２）【０００４】  しかしながら、二つ折り式携帯電話機にしても、表示部はまだまだ小さく、キー部も小さく、例えば特に高齢者には表示部の文字を見るのも、キー部から文字を入力するのも煩わしく操作性が悪かった。
【先行技術文献】
【特許文献】
【０００５】
【特許文献１】    特許公開２００５−４５００号公報
【特許文献２】    特許公開２００４−４８７１９号公報
【発明の概要】
【発明が解決しようとする課題】
【０００６】  上記したように、携帯電話機における表示部と入力部が小さく、表示部の文字を見るのも、入力部から文字を入力するのも煩わしく操作性が悪いという課題があった。
この発明の目的は、表示部を大きくして情報入力の操作性を良くして情報の入力を容易にした携帯電話機の表示入力方法を提供することである。
【課題を解決するための手段】
【０００７】  そこで、本発明は、音声入力部と音声出力部とを有する携帯電話機の表示入力方法であって、上記携帯電話機が、表示部と、この表示部の表示面上に配置されて操作者による接触があるとその接触位置を出力するタッチパネルとを含む表示一体型タッチパネル装置が設けられている第１の筺体と、この第１の筺体と対峙するよう開閉自在に連結され、表示部と、この表示部の表示面上に配置されて操作者による接触があるとその接触位置を出力するタッチパネルとを含む表示一体型タッチパネル装置が設けられている第２の筺体と、この第２の筺体と対峙するよう開閉自在に連結され、表示部と、この表示部の表示面上に配置されて操作者による接触があるとその接触位置を出力するタッチパネルとを含む表示一体型タッチパネル装置が設けられている第３の筺体と、この第３の筺体と対峙するよう開閉自在に連結され、表示部と、この表示部の表示面上に配置されて操作者による接触があるとその接触位置を出力するタッチパネルとを含む表示一体型タッチパネル装置が設けられている第４の筺体とを有し、前記第１の筺体の表示一体型タッチパネル装置と、前記第２の筺体の表示一体型タッチパネル装置と、前記第３の筺体の表示一体型タッチパネル装置と、前記第４の筺体の表示一体型タッチパネル装置とを用いて文字情報が表示入力されるようにしたものである。
【発明の効果】
【０００８】  本発明は、表示部を大きくして情報入力の操作性を良くして情報の入力を容易にした携帯電話機の表示入力方法を提供することが可能となる。
【図面の簡単な説明】
【０００９】
【図１】本発明の実施の形態が適用可能な携帯電話機の一例を示す外観図。
【図２】図１に示す携帯電話機をＡ方向から見た状態を示す外観図。
【図３】図１に示す携帯電話機をＡ方向から見て半分開いた状態を示す外観図。
【図４】携帯電話機の各筺体を完全に開いた状態を示す外観図。
【図５】携帯電話機の液晶タッチパネルに数字を表示した例を示す図。
【図６】携帯電話機の液晶タッチパネルにひらがなを表示した例を示す図。
【図７】携帯電話機の液晶タッチパネルにアルファベットを表示した例を示す図。
【図８】携帯電話機の液晶タッチパネルに通話先を表示した例を示す図。
【図９】携帯電話機の液晶タッチパネルにゲームを表示した例を示す図。
【図１０】携帯電話機の液晶タッチパネルに地図の検索結果を表示した例を示す図。
【図１１】携帯電話機の液晶タッチパネルに外国語学習を表示した例を示す図。
【図１２】ヒンジレスの四つ折り式の携帯電話機の例を示す外観図。
【発明を実施するための形態】
【００１０】  まず、第１の実施形態について説明する。
図１は、この発明に係る携帯電話機１の外観構成を示すものである。すなわち、この携帯電話機１のおもて面には、音声を入力するためのマイクが配置された音声入力部１０と、音声を出力するためのスピーカが配置された音声出力部２０が設けられている。
なお、図１は、実際の携帯電話機とほぼ同じ寸法で作図されている。例えば、縦の長さが１００ｍｍ、横幅が５８ｍｍである。また、例えば、縦の長さを１１２ｍｍにし、１２ｍｍ伸ばした部分に電子部品の収納あるいはバッテリ容量を増加するようにしても従来の携帯電話機と大きさにおいて同等である。
【００１１】  図２は、携帯電話機１を図１のＡ方向から見たものである。携帯電話機１は、第１の筺体１１と、第２の筺体１２と、第３の筺体１３と、第４の筺体１４とから構成されている。
第１の筺体１１と第２の筺体１２とが対峙するよう開閉自在にヒンジ部２を介して連結され、第２の筺体１２と第３の筺体１３とが対峙するよう開閉自在にヒンジ部３を介して連結され、第３の筺体１３と第４の筺体１４とが対峙するよう開閉自在にヒンジ部４を介して連結されている。
なお、第１の筺体１１に上記音声入力部１０と音声出力部２０とが設けられている。
また、図２も実際の携帯電話機とほぼ同じ寸法で作図され、携帯電話機１の厚さが１８ｍｍに設計され、従来の携帯電話機と同等の寸法が得られている。
【００１２】  図３は、携帯電話機１の各筺体を半開き状態にして図１のＡ方向から見たものである。第１の筺体１１と第２の筺体１２と第３の筺体１３と第４の筺体１４とで略Ｗの文字に似た状態となる。
第１の筺体１１と第２の筺体１２とはヒンジ部２を介して矢印ａ方向へ開くことができる。第２の筺体１２と第３の筺体１３とはヒンジ部３を介して矢印ｂ方向へ開くことができる。第３の筺体１３と第４の筺体１４とはヒンジ部４を介して矢印ｃ方向へ開くことができる。
【００１３】  すなわち、本発明の携帯電話機１は、四つ折りの屏風のように、折り畳んだり、拡げたりできる四つ折り式の携帯電話機である。
第１の筺体１１の表示面には、液晶表示装置及びその上に積層された静電容量式タッチパネルとからなる表示一体型タッチパネル装置である液晶タッチパネル２１が設けられている。
第２の筺体１２の表示面には、液晶表示装置及びその上に積層された静電容量式タッチパネルとからなる表示一体型タッチパネル装置である液晶タッチパネル２２が設けられている。
第３の筺体１３の表示面には、液晶表示装置及びその上に積層された静電容量式タッチパネルとからなる表示一体型タッチパネル装置である液晶タッチパネル２３が設けられている。
第４の筺体１４の表示面には、液晶表示装置及びその上に積層された静電容量式タッチパネルとからなる表示一体型タッチパネル装置である液晶タッチパネル２４が設けられている。
なお、図３も実際の携帯電話機とほぼ同じ寸法で作図されている。
【００１４】  図４は、携帯電話機１の各筺体を完全に開いた状態を示すものである。図４において、上述したように、第１の筺体１１は液晶タッチパネル２１、第２の筺体１２は液晶タッチパネル２２、第３の筺体１３は液晶タッチパネル２３、第４の筺体１４は液晶タッチパネル２４を有している。
なお、図４も実際の携帯電話機とほぼ同じ寸法で作図されている。例えば、図１で説明した縦の長さを１１２ｍｍにし、１２ｍｍ伸ばした部分を第１の筺体１１にまとめても良く、また、第１の筺体１１、第２の筺体１２、第３の筺体１３、第４の筺体１４の全てを伸ばしたようにしても良い。
【００１５】  図５は、携帯電話機１の各筺体を完全に開いた状態で、入力用の数字を液晶タッチパネル２１，２２，２３，２４に表示させ、数字表示と数字キーの表示とを大きくして数字入力の操作性を向上させたものである。なお、液晶タッチパネル２１，２２，２３，２４は、数字キー（文字情報入力キー）が互いに関連して表示され、携帯電話機の操作者がタッチパネルに触れる（接触）ことにより数字（文字情報）が入力される。
なお、上述したように、図１〜図５は実際の携帯電話機とほぼ同じ寸法で作図されている。従って、図５における数字キーは、１つが縦１８ｍｍ、横２４ｍｍで表示される。この結果、従来の携帯電話機では実現できなかった携帯電話機の操作者（大人から子供まで）の指の大きさに適応（対応）した大きさの文字キー（文字情報入力キー）を表示することができる。
また、図５における数字キーの大きさは、固定したものではなく変更することも可能である。
【００１６】  図６は、携帯電話機１の各筺体を完全に開いた状態で、入力用の全てのひらがなを液晶タッチパネル２１，２２，２３，２４に表示させ、ひらがな表示とひらがなキー（文字情報）表示とを大きくしてひらがな入力の操作性を向上させたものである。なお、液晶タッチパネル２１，２２，２３，２４は、ひらがなキーが互いに関連して表示され、携帯電話機の操作者がタッチパネルに触れる（接触）ことによりひらがなが入力される。
図６におけるひらがなキーは、１つが縦１４ｍｍ、横１６ｍｍで表示される。この結果、従来の携帯電話機では実現できなかった携帯電話機の操作者（大人から子供まで）の指の大きさに適応（対応）した大きさのキーを表示することができる。
なお、図６に示したひらがなキーの大きさは、固定したものではなく変更することも可能である。
【００１７】  図７は、携帯電話機１の各筺体を完全に開いた状態で、入力用のアルファベットを液晶タッチパネル２１，２２，２３，２４に表示させ、アルファベット表示とアルファベットキー（文字情報）表示とを大きくしてアルファベット入力の操作性を向上させたものである。なお、液晶タッチパネル２１，２２，２３，２４は、アルファベットキーが互いに関連して表示され、携帯電話機の操作者がタッチパネルに触れる（接触）ことによりアルファベットが入力される。
図７におけるアルファベットキーは、１つが縦１４ｍｍ、横２０ｍｍで表示される。この結果、従来の携帯電話機では実現できなかった携帯電話機の操作者（大人から子供まで）の指の大きさに適応（対応）したキーを表示することができる。
また、図７に示したアルファベットキーは、固定したものではなく変更することも可能である。
【００１８】  なお、図５、図６、図７の表示は例であって、どのように文字情報入力キーを表示させてもよく、要は、携帯電話機の操作者（大人から子供まで）の指の大きさに適応（対応）した大きさのキーを表示すれば操作性が向上するのである。
例えば、アルファベットキーの表示の場合、Ａ方向を上にして液晶タッチパネル２１，２２，２３，２４の表示を組み合わせて表示下部（図７上でＡ方向の下方）にキーボードと同じ配列でアルファベットキーを表示するようにしてもよい。
【００１９】  次に、第２の実施形態において、通話先に対する携帯電話機の表示入力方法ついて説明する。
図８は、液晶タッチパネル２１にメッセージが表示され、液晶タッチパネル２２に電話を発信する先の写真と名前「太郎」が表示され、液晶タッチパネル２３に電話を発信する先の写真と名前「花子」が表示され、液晶タッチパネル２４に電話を発信する先の写真と名前「めぐみ」が表示されている状態を示している。
【００２０】  例えば、液晶タッチパネル２２のタッチパネルが携帯電話機１の操作者により触れられた場合（タッチパネルに接触）、表示されている写真の「太郎」さんに電話が発信され、液晶タッチパネル２１に「太郎さんへ発信しています」と発信中であることを知らせる。
このように、４人までの通話先が写真（画像：イラストでもよい）と名前（文字）とで表示できるので高齢者が容易に電話の発信をすることができる。なお、通話先の表示は４人固定でもよく、スクロールして記憶している通話先を表示するようにしてもよい。
【００２１】  次に、第３の実施形態において、ゲームに対する携帯電話機の表示入力方法ついて説明する。
図９は、液晶タッチパネル２１に第１のゲーム画像を表示し、液晶タッチパネル２２に第２のゲーム画像を表示し、液晶タッチパネル２３に第３のゲーム画像を表示し、液晶タッチパネル２４に第４のゲーム画像を表示している。
【００２２】  このゲームは、第１のゲーム画像、第２のゲーム画像、第３のゲーム画像、第４のゲーム画像がそれぞれ関連し、且つ、液晶タッチパネル２１，２２，２３，２４のタッチパネルからの入力によりゲームが展開（ゲーム操作）される。
このように、液晶タッチパネル２１，２２，２３，２４に表示される画像情報（動画と静止画とを含む）と、液晶タッチパネル２１，２２，２３，２４からのタッチパネル入力（タッチパネルの接触位置情報を含む）とにより、ゲームを展開（ゲーム操作）することができる。
【００２３】  次に、第４の実施形態において、地図検索に対する携帯電話機の表示入力方法ついて説明する。
図１０は、地図検索の情報（例えば、住所等）の入力が行われ、液晶タッチパネル２１にその入力情報が表示され、液晶タッチパネル２２に検索された地図の平面図が表示され、液晶タッチパネル２３に検索された上空からの写真図が表示され、液晶タッチパネル２４に検索された路地図が表示される。
このように、地図検索において、検索された位置を地図の平面図、上空からの写真図、地上の路地図等の異なった表示方法（同一検索結果における異なった地図画像）でそれぞれの液晶タッチパネル２１，２２，２３，２４に表示することができる。
【００２４】  次に、第５の実施形態において、外国語学習に対する携帯電話機の表示入力方法ついて説明する。
図１１は、外国語学習における携帯電話機１の表示例を示すものである。すなわち、液晶タッチパネル２１には自動車の絵または写真が表示され、液晶タッチパネル２２には英文「ｃａｒ」が表示され、液晶タッチパネル２３には訳文「自動車」が表示され、液晶タッチパネル２４には例文が表示される。
【００２５】  英語の外国語学習において、単語の絵または写真、英文スペル、訳文、例文をそれぞれの液晶タッチパネル２１，２２，２３，２４に表示し、液晶タッチパネル２１のタッチパネルが操作者により触れられると英文の音声が発せられ、液晶タッチパネル２２のタッチパネルが操作者により触れられると英文の音声が発せられ、液晶タッチパネル２３１のタッチパネルが操作者により触れられると訳文の音声が発せられ、液晶タッチパネル２４のタッチパネルが操作者により触れられると例文の音声が発せられる。
このように、外国語学習において、液晶タッチパネル２１，２２，２３，２４を用いることにより、多面的に外国語学習情報を表示入力することができる。
【００２６】  次に、第６の実施形態におけるヒンジレスの携帯電話機ついて説明する。
図１２は、ヒンジレスの携帯電話機３０の例を示すもので、筺体３１の全体が一体化している。すなわち、筺体３１は、液晶タッチパネル４１が設けられている第１の筺体部（第１の筺体）３１ａ、折り曲げ部３１ｂ、液晶タッチパネル４２が設けられている第２の筺体部（第２の筺体）３１ｃ、折り曲げ部３１ｄ、液晶タッチパネル４３が設けられている第３の筺体部（第３の筺体）３１ｅ、折り曲げ部３１ｆ、液晶タッチパネル４４が設けられている第４の筺体部（第４の筺体）３１ｇとから構成されている。
【００２７】  なお、筺体３１は、比較的柔らかい樹脂で構成されているので折り曲げ部３１ｂ，３１ｄ，３１ｆで各筺体部を折り曲げることができる。その結果、図１に示した四つ折りの屏風のように、折り畳んだり、拡げたりできる四つ折り式の携帯電話機を実現することができる。
なお、本実施形態のヒンジレスの四つ折り式の携帯電話機は、上述した第１の実施形態から第５の実施形態にも応用可能である。
【００２８】  以上説明したように上記発明の実施の形態によれば、携帯電話機を四つ折り式にして液晶タッチパネルを４つ有し、大きい文字表示、大きいキー表示をすることにより、操作性を向上させることができる。
また、携帯電話機と同じようなＰＨＳ等の携帯端末に応用することも可能である。
また、英語のアルファベットだけでなく、ドイツ語、ハングル語等の外国語文字（文字情報）にも対応することができる。
【００２９】  さらに、４つの液晶タッチパネルを用いることにより、携帯電話機の操作者（大人から子供まで）の指の大きさに適応（対応）した大きさのキーを表示することができる。
なお、上記実施の形態では、表示部に液晶表示装置を用いたが有機ＥＬの表示装置でもよく、要は薄型で表示できればよい。また、静電容量式タッチパネルを設けたが透明で位置が特定できるパネルを積層して入力できるようにしてもよく、要は薄くて表示を妨げなければよい。
また、ヒンジレスの四つ折り式の携帯電話機も提供することができる。
【００３０】  なお、本願発明は、上記実施形態に限定されるものではなく、実施段階ではその要旨を逸脱しない範囲で種々に変形することが可能である。また、実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００３１】  １，３０…携帯電話機、２，３，４…ヒンジ部、１０…音声入力部、１１…第１の筺体、１２…第２の筺体、１３…第３の筺体、１４…第４の筺体、２０…音声出力部、２１，２２，２３，２４，４１，４２，４３，４４…液晶タッチパネル（表示一体型タッチパネル装置）、３１…筺体。
【図１】
2012248173.tif 000003
【図２】
2012248173.tif 000004
【図３】
2012248173.tif 000005
【図４】
2012248173.tif 000006
【図５】
2012248173.tif 000007
【図６】
2012248173.tif 000008
【図７】
2012248173.tif 000009
【図８】
2012248173.tif 000010
【図９】
2012248173.tif 000011
【図１０】
2012248173.tif 000012
【図１１】
2012248173.tif 000013
【図１２】
2012248173.tif 000014